(57)【要約】      （修正有）【課題】迅速に組立ができ、生産コストを低減できる放熱モジュールを提供する。【解決手段】放熱モジュール１は、放熱フィン組１１と、基台１２と、を含み、該放熱フィン組１１一側が少なくとも１つの折れ辺１１１を有し、前記折れ辺１１１が少なくとも１つの結合部１１１１を有する。該基台１２が少なくとも１つの接続固定部１２１を有し、前記結合部１１１１と対応設置され、該接続固定部１２１が前記折れ辺１１１を嵌合し、該接続固定部に対し、圧力を加え、塑性変形を発生し、放熱フィン１１組及び基台１２を安定結合させ、更に、工程時間の短縮、製造コストの低減を達成する。【選択図】図１
0003176587.tif 000002
【実用新案登録請求の範囲】
【請求項１】
一側に少なくとも１つの折れ辺を有し、前記折れ辺が少なくとも１つの結合部を有する放熱フィン組と、
少なくとも１つの接続固定部を有し、前記結合部と対応設置され、該接続固定部が前記折れ辺を嵌合圧入する基台と、
を含む放熱モジュール。
【請求項２】
前記基台が第１側及び第２側を有し、前記接続固定部が該第１側に設けられ、該接続固定部が少なくとも１つの第１延伸端を有し、該第１延伸端が延伸し、該折れ辺を嵌合する請求項１に記載の放熱モジュール。
【請求項３】
前記接続固定部が更に、第２延伸端を有し、前記第１、第２延伸端がそれぞれ該接続固定部の自由端を呈する一端から該基台と相反する方向へ延伸して形成される請求項２に記載の放熱モジュール。
【請求項４】
前記基台が更に、第１端及び第２端を有し、前記接続固定部の第１延伸端がそれぞれ該第１、第２端に設置される請求項２に記載の放熱モジュール。
【請求項５】
更に、少なくとも１つの熱管及び溝を有し、前記熱管が吸熱端及び放熱端を有し、前記溝が該基台の第２側に設けられ、前記吸熱端が該溝内に収容され、前記放熱端が該放熱フィン組を貫通する請求項２に記載の放熱モジュール。
【請求項６】
前記放熱フィン組は、複数の放熱フィンが相互に堆積して構成され、該放熱フィンの両側にそれぞれ嵌合部を有する請求項１に記載の放熱モジュール。
【請求項７】
複数の放熱フィンから構成される放熱フィン組及び一側の平面に少なくとも１つの接続固定部を設けた基台を提供し、
該放熱フィン組の一側に折れ辺及び少なくとも１つの結合部を設置し、
前記放熱フィン組の結合部を該基台の接続固定部と対応して嵌合し、治具を介し、前記接続固定部に対し、圧力を加え、前記接続固定部に該放熱フィン組の折れ辺を圧入させる、
ステップを含む放熱モジュールの製造方法。
【請求項８】
前記接続固定部は、機械加工により圧力を加え、前記接続固定部に対し、塑性変形を行う請求項７に記載の放熱モジュールの製造方法。
【請求項９】
前記機械加工がパンチング加工である請求項８に記載の放熱モジュールの製造方法。
【請求項１０】
前記治具がパンチである請求項７に記載の放熱モジュールの製造方法。
【考案の詳細な説明】
【技術分野】
【０００１】
本考案は、放熱モジュール及びその製造方法に関し、特に、塑性変形により迅速な結合を達成し、工程時間及び製造コストを節減する放熱モジュール及びその製造方法に関する。
【背景技術】
【０００２】
現行の放熱装置及び放熱モジュールは、複数の放熱部材を相互に組み合わせて構成され、該放熱部材は、熱管、ヒートシンク、放熱基台等の部材であり、該放熱部材の相互の組み合わせ結合は、溶接を介して固定されるが、アルミ材質で製造される放熱部材に対しては、特殊な溶接作業の方式で溶接を行う必要がないだけでなく、それは、加工コストを相対して増加させる。
【０００３】
また、ある業者は、螺子等の固定部材で該放熱部材に対し結合固定を行っているが、但し、固定部材は、ただ一部の放熱部材（例えば、放熱フィン組及び放熱基台）に対してのみ螺合固定を行うことができ、熱管に対し、直接螺合の方式で固定することができない。
【０００４】
また、ある業者、圧着の方式で放熱フィン及び基台を固定しているが、圧着の施工過程では、放熱フィン又は基台に容易に破裂を発生させ、不良率を上昇させるので、従来技術は、以下の欠点を有する。
１． コストが比較的高い。
２． 工程時間を浪費する。
３． 不良率が高い。
【考案の概要】
【考案が解決しようとする課題】
【０００５】
そこで、上記従来技術の欠点を解決する為、本考案の目的は、迅速に組み立てでき、生産コストを低減する放熱モジュールを提供することである。
【０００６】
本考案のもう１つの目的は、迅速に組み立てでき、生産コストを低減する放熱モジュールの製造方法を提供することである。
【課題を解決するための手段】
【０００７】
上記目的を達成する為、本考案が提供する放熱モジュールは、放熱フィン組と、基台と、を含み、
前記放熱フィン組一側に少なくとも１つの折れ辺を有し、該折れ辺が少なくとも１つの結合部を有し、該基台が少なくとも１つの接続固定部を有し、前記結合部と対応設置され、該接続固定部が前記折れ辺を嵌合できる。
【０００８】
上記目的を達成する為、本考案が提供する放熱モジュールの製造方法は、以下のステップを含む。
複数の放熱フィンから構成される放熱フィン組及び一側平面に少なくとも１つの接続固定部を設けた基台を提供し、
該放熱フィン組一側に折れ辺及び少なくとも１つの結合部を設置し、
前記放熱フィン組の結合部を該基台の接続固定部と対応して嵌合し、治具を介し、前記接続固定部に対し、圧力を加え、前記接続固定部に該放熱フィン組の折れ辺を圧制させる。
【考案の効果】
【０００９】
本考案の放熱モジュール及びその製造方法は、放熱モジュールの組み立て工程時間を大幅に減少させ、製造コストを低減する。
【図面の簡単な説明】
【００１０】
【図１】本考案の放熱モジュールの第１実施例の立体分解図である。
【図２】本考案の放熱モジュールの第１実施例の立体組み合わせ図である。
【図３】本考案の放熱モジュールの第１実施例の立体断面図である。
【図４】本考案の放熱モジュールの第２実施例の組み合わせ断面図である。
【図５】本考案の放熱モジュールの第３実施例の組み合わせ断面図である。
【図６】本考案の放熱モジュールの第４実施例の組み合わせ断面図である。
【図７】本考案の放熱モジュールの第５実施例の放熱フィン組の説明図である。
【図８】本考案の放熱モジュールの製造方法のステップフロー図である。
【考案を実施するための形態】
【００１１】
本考案の上記目的及びその構造及び機能上の特性について、図面に基づく好適実施例を挙げ、以下に説明する。
【００１２】
図１、図２、図３を参照し、それは、本考案の放熱モジュールの第１実施例の立体分解図及び立体組み合わせ図及び組み合わせ断面図であり、図に示すように、前記放熱モジュール１，は、放熱フィン組１１と、基台１２と、を含む。
【００１３】
前記放熱フィン組１１一側に少なくとも１つの折れ辺１１１を有し、前記折れ辺１１１が少なくとも１つの結合部１１１１を有する。
【００１４】
前記基台１２が少なくとも１つの接続固定部１２１を有し、前記結合部１１１１と対応設置され、該接続固定部１２１が前記折れ辺１１１を嵌合できる。
【００１５】
前記基台１２は、第１側１２２及び第２側１２３を有し、前記接続固定部１２１は、第１側１２２を設け、該接続固定部１２１が少なくとも１つの第１延伸端１２１１を有し、前記第１延伸端１２１１が該接続固定部１２１の自由端を呈する一端から該基台１２と相反する方向へ延伸して構成され、該第１延伸端１２１１が延伸し、該折れ辺１１１を嵌合圧制する。
【００１６】
図４を参照し、それは、本考案の放熱モジュールの第２実施例の組み合わせ断面図であり、本実施例の一部の構造は、前記第１実施例と同一であるので、ここでは再度記載せず、但し、本実施例及び前記第１実施例の異なる箇所は、前記接続固定部１２１が更に、第２延伸端１２１２を有し、前記第１、第２延伸端１２１１，１２１２がそれぞれ該接続固定部１２１の自由端を呈する一端から該基台１２と相反する方向へ延伸して形成され、該第１延伸端１２１１及び該第２延伸端１２１２に圧力を加え、塑性変形を発生する時、前記第１延伸端１２１１及び該第２延伸端１２１２がそれぞれ湾折して、該放熱フィン組１１の折れ辺１１１を圧制することである。
【００１７】
図５を参照し、それは、本考案の放熱モジュールの第３実施例の組み合わせ断面図であり、本実施例の一部の構造は、前記第１実施例と同一であるので、ここでは再度記載せず、但し、本実施例及び前記第１実施例の異なる箇所は、前記基台１２が第１端１２４及び第２端１２５を有し、前記接続固定部１２１の第１延伸端１２１１がそれぞれ該第１、第２端１２４，１２５に設置され、該第１延伸端１２１１に対し圧力を加え、塑性変形を発生する時、前記第１延伸端１２１１は、湾折視、前記放熱フィン組１１の折れ辺１１１を嵌合する。
【００１８】
図６を参照し、それは、本考案の放熱モジュールの第４実施例の立体分解図であり、本実施例の一部の構造は、前記第１実施例と同一であるので、ここでは再度記載せず、但し、本実施例及び前記第１実施例の異なる箇所は、前記放熱モジュール１が更に、少なくとも１つの熱管１３及び溝１２６を有し、前記熱管１３が吸熱端１３１及び放熱端１３２を有し、前記溝１２６が該基台１２の第２側１２３に設けられ、前記吸熱端１３１は、該溝１２６内に収容され、前記放熱端１３２は、該放熱フィン組１１を貫通する。
【００１９】
図７を参照し、それは、本考案の放熱モジュールの第５実施例の放熱フィン組の説明図であり、本実施例の一部の構造は、前記第１実施例と同一であるので、ここでは再度記載せず、但し、本実施例及び前記第１実施例の異なる箇所は、前記前記放熱フィン組１１が複数の放熱フィン１１ａの相互の体積で構成され、該放熱フィン１１ａ両側にそれぞれ嵌合部１１２を有し、該嵌合部１１２がもう１つの放熱フィン１１ａと嵌合し、相互に組み合わさる。
【００２０】
図８を参照し、それは、本考案の放熱モジュールの製造方法のステップフロー図であり、前記図１〜図７を併せて参照し、図に示すように、本考案の放熱モジュールの製造方法は、下記のステップを含む。
S1：複数の放熱フィンから構成される放熱フィン組及び一側平面に少なくとも１つの接続固定部を設けた基台を提供する。
複数の放熱フィン１１ａの相互の堆積から構成される放熱フィン組１１を提供し、一側平面に図１に示すような接続固定部１２１を設置した基台１２を提供する。
S2：該放熱フィン組一側に折れ辺及び少なくとも１つの結合部を設置する。
前記放熱フィン組１１の該放熱フィン１１ａの少なくとも一側に折れ辺１１１を設置し、該折れ辺１１１が少なくとも１つの結合部１１１１を設置し、前記結合部１１１１が前記基台１２の接続固定部１２１と相互に対応する。
S3：前記放熱フィン組の結合部が該基台の接続固定部と対応して嵌合し、治具を介し、前記接続固定部に対し、圧力を加え、前記接続固定部に該放熱フィン組の折れ辺を圧制させる。
【００２１】
該放熱フィン組１１が前記基台１２の該接続固定部１２１を有する一側に対応設置され、該放熱フィン組１１の結合部１１１１が該基台１２の接続固定部１２１と対応して組み合わさり、治具を介し、該接続固定部１２１に対し圧力を加え、該接続固定部１２１に塑性変形を発生させ、該接続固定部１２１は、該折れ辺１１１を圧制でき、該放熱フィン組１１が基台１２と結合できる。
【００２２】
前記治具は、本実施例では、パンチにより説明するが、これに限定するものではない。
【００２３】
前記接続固定部は、機械加工を介し、圧力を加え、前記接続固定部１２１に対し、塑性変形を行い、本実施例の機械加工は、パンチング加工により説明を行うが、これに限定するものではない。
【００２４】
本考案の放熱モジュールの結構及びその製造方法によって、該放熱モジュールの組み立て工程時間を短縮し、別途溶接を介する必要がなく、組み立てを完成することができ、該放熱モジュールの製造コストを大幅に低減する。
【符号の説明】
【００２５】
１        放熱モジュール
１１      放熱フィン組
１１ａ    放熱フィン
１１１    折れ辺
１１１１  結合部
１２      基台
１２１    接続固定部
１２１１  第１延伸端
１２１２  第２延伸端
１２２    第１側
１２３    第２側
１２４    第１端
１２５    第２端
１２６    溝
１３      熱管
１３１    吸熱端
１３２    放熱端
【図１】
0003176587.tif 000003
【図２】
0003176587.tif 000004
【図３】
0003176587.tif 000005
【図４】
0003176587.tif 000006
【図５】
0003176587.tif 000007
【図６】
0003176587.tif 000008
【図７】
0003176587.tif 000009
【図８】
0003176587.tif 000010
【手続補正書】
【提出日】平成24年4月18日(2012.4.18)
【手続補正２】
【補正対象書類名】実用新案登録請求の範囲
【補正対象項目名】全文
【補正方法】変更
【補正の内容】
【実用新案登録請求の範囲】
【請求項１】
一側に少なくとも１つの折れ辺を有し、前記折れ辺が少なくとも１つの結合部を有する放熱フィン組と、
少なくとも１つの接続固定部を有し、前記結合部と対応設置され、該接続固定部が前記折れ辺を嵌合圧入する基台と、
を含む放熱モジュール。
【請求項２】
前記基台が第１側及び第２側を有し、前記接続固定部が該第１側に設けられ、該接続固定部が少なくとも１つの第１延伸端を有し、該第１延伸端が延伸し、該折れ辺を嵌合する請求項１に記載の放熱モジュール。
【請求項３】
前記接続固定部が更に、第２延伸端を有し、前記第１、第２延伸端がそれぞれ該接続固定部の自由端を呈する一端から該基台と相反する方向へ延伸して形成される請求項２に記載の放熱モジュール。
【請求項４】
前記基台が更に、第１端及び第２端を有し、前記接続固定部の第１延伸端がそれぞれ該第１、第２端に設置される請求項２に記載の放熱モジュール。
【請求項５】
更に、少なくとも１つの熱管及び溝を有し、前記熱管が吸熱端及び放熱端を有し、前記溝が該基台の第２側に設けられ、前記吸熱端が該溝内に収容され、前記放熱端が該放熱フィン組を貫通する請求項２に記載の放熱モジュール。
【請求項６】
前記放熱フィン組は、複数の放熱フィンが相互に堆積して構成され、該放熱フィンの両側にそれぞれ嵌合部を有する請求項１に記載の放熱モジュール。